(57)【特許請求の範囲】
【請求項１】
半導体レーザを光源として用いる画像表示装置であって、
赤色レーザ光を出力する第１レーザ光源装置と、
前記赤色レーザ光より波長の小さな青色レーザ光を出力する第２レーザ光源装置と、
赤外レーザ光の波長を変換することにより、前記赤色レーザ光と前記青色レーザ光との間の大きさの波長を有する緑色レーザ光を出力する緑色レーザ光源装置と、
前記各色のレーザ光を外部に投射する投射光学系と、
前記緑色レーザ光の波長を含む緑色波長領域以上のレーザ光を反射させて前記投射光学系側に導く第１の光学素子と、
前記緑色レーザ光の波長を含む緑色波長領域以下のレーザ光を反射させて前記投射光学系側に導く第２の光学素子と
を備え、
前記青色レーザ光の出力光軸は、前記緑色レーザ光の出力光軸および前記赤色レーザ光の出力光軸に対して順次交差し、前記赤色レーザ光の出力光軸は、前記緑色レーザ光の出力光軸に対して平行であり、
前記第１の光学素子は、前記青色レーザ光の出力光軸と前記緑色レーザ光の出力光軸との交差位置において、緑色波長領域以上の前記緑色レーザ光および前記緑色レーザ光源装置において変換されないまま出力され得る前記赤外レーザ光を前記第２の光学素子に向けて反射させ、それ以外の前記青色レーザ光を前記第２の光学素子に向けて透過し、
前記第２の光学素子は、前記青色レーザ光の出力光軸と前記赤色レーザ光の出力光軸との交差位置において、緑色波長領域以下の前記緑色レーザ光および前記青色レーザ光を前記投射光学系側に反射させ、それ以外の前記赤色レーザ光および前記赤外レーザ光については前記赤色レーザ光を前記投射光学系側に、前記赤外レーザ光を前記投射光学系側ではない方向に透過させることを特徴とする画像表示装置。
【発明の詳細な説明】
【技術分野】
【０００１】
本発明は、半導体レーザを光源とするレーザ光源装置を備えた画像表示装置に関する。
【背景技術】
【０００２】
近年、画像表示装置の光源に半導体レーザを用いる技術が注目されている。この半導体レーザは、画像表示装置に多用されてきた水銀ランプに比較して、色再現性がよい点、瞬時点灯が可能である点、長寿命である点、高効率で消費電力を低減することができる点、及び小型化が容易である点など種々の利点を有している。
【０００３】
半導体レーザを用いた従来の画像表示装置としては、例えば、半導体レーザを備えた３つのレーザ光源装置からの赤色、青色および緑色の３色のレーザ光を、複数の光学素子（ミラーやプリズム等）を介して合成しながら出射側の投射光学系に導くことにより、この投射光学系から各色の画像光を外部のスクリーン上に投射するプロジェクタが知られている（特許文献１参照）。ここで、緑色レーザ光については、これを直接出力する半導体レーザに高出力のものがないため、赤外レーザ光をＳＨＧ（second harmonic generation）素子によって波長変換することにより発生させている。
【先行技術文献】
【特許文献】
【０００４】
【特許文献１】特開２０１０−３２７９６号公報
【発明の概要】
【発明が解決しようとする課題】
【０００５】
ところで、上記特許文献１に記載されたような従来の画像表示装置では、緑色レーザ光を発生させるために赤外レーザ光を用いるため、緑色レーザ光源装置からは多少の赤外線が出力される場合がある。しかしながら、従来の画像表示装置では、そのような赤外線の出力を全く考慮していないため、赤外線が画像表示装置から外部に投射されると、ユーザの目に入った場合に相当な負担となるという問題があった。
【０００６】
本発明は、このような従来技術の課題を鑑みて案出されたものであり、簡易な構成により、緑色レーザ光源装置から出力され得る赤外線が外部に投射されることを防止可能とした画像表示装置を提供することを主目的とする。
【課題を解決するための手段】
【０００７】
本発明の画像表示装置は、半導体レーザを光源として用いる画像表示装置であって、赤色レーザ光を出力する第１レーザ光源装置と、前記赤色レーザ光より波長の小さな青色レーザ光を出力する第２レーザ光源装置と、赤外レーザ光の波長を変換することにより、前記赤色レーザ光と前記青色レーザ光との間の大きさの波長を有する緑色レーザ光を出力する緑色レーザ光源装置と、前記各色のレーザ光を外部に投射する投射光学系と、前記緑色レーザ光の波長を含む緑色波長領域以上のレーザ光を反射させて前記投射光学系側に導く第１の光学素子と、前記緑色レーザ光の波長を含む緑色波長領域以下のレーザ光を反射させて前記投射光学系側に導く第２の光学素子とを備え、前記青色レーザ光の出力光軸は、前記緑色レーザ光の出力光軸および前記赤色レーザ光の出力光軸に対して順次交差し、前記赤色レーザ光の出力光軸は、前記緑色レーザ光の出力光軸に対して平行であり、前記第１の光学素子は、前記青色レーザ光の出力光軸と前記緑色レーザ光の出力光軸との交差位置において、緑色波長領域以上の前記緑色レーザ光および前記緑色レーザ光源装置において変換されないまま出力され得る前記赤外レーザ光を前記第２の光学素子に向けて反射させ、それ以外の前記青色レーザ光を前記第２の光学素子に向けて透過し、前記第２の光学素子は、前記青色レーザ光の出力光軸と前記赤色レーザ光の出力光軸との交差位置において、緑色波長領域以下の前記緑色レーザ光および前記青色レーザ光を前記投射光学系側に反射させ、それ以外の前記赤色レーザ光および前記赤外レーザ光については前記赤色レーザ光を前記投射光学系側に、前記赤外レーザ光を前記投射光学系側ではない方向に透過させることを特徴とする。
【発明の効果】
【０００８】
このように本発明によれば、レーザ光源装置よりも少ない光学素子を用いて各色のレーザ光を投射光学系側に導くことが可能となると共に、赤外レーザ光が画像表示装置から外部に投射されることを防止するという優れた効果を奏する。
【図面の簡単な説明】
【０００９】
【図１】第１実施形態に係る画像表示装置１の概略構成図
【図２】第１実施形態に係る画像表示装置１の斜視図
【図３】第１実施形態に係る緑色レーザ光源装置２における緑色レーザ光の状況を示す模式図
【図４】第１実施形態に係る画像表示装置１における各色のレーザ光の進路を示す模式図
【図５】第１実施形態に係るダイクロイックミラー１４の分光特性を示すグラフ
【図６】第１実施形態に係るダイクロイックミラー１５の分光特性を示すグラフ
【図７】第２実施形態に係る画像表示装置１における各色のレーザ光の
【発明を実施するための形態】
【００１０】
上記課題を解決するためになされた第１の発明は、半導体レーザを光源として用いる画像表示装置であって、赤色レーザ光を出力する第１レーザ光源装置と、前記赤色レーザ光より波長の小さな青色レーザ光を出力する第２レーザ光源装置と、赤外レーザ光の波長を変換することにより、前記赤色レーザ光と前記青色レーザ光との間の大きさの波長を有する緑色レーザ光を出力する緑色レーザ光源装置と、前記各色のレーザ光を外部に投射する投射光学系と、前記緑色レーザ光の波長を含む緑色波長領域以上のレーザ光を反射させて前記投射光学系側に導く第１の光学素子と、前記緑色レーザ光の波長を含む緑色波長領域以下のレーザ光を反射させて前記投射光学系側に導く第２の光学素子とを備え、前記青色レーザ光の出力光軸は、前記緑色レーザ光の出力光軸および前記赤色レーザ光の出力光軸に対して順次交差し、前記赤色レーザ光の出力光軸は、前記緑色レーザ光の出力光軸に対して平行であり、前記第１の光学素子は、前記青色レーザ光の出力光軸と前記緑色レーザ光の出力光軸との交差位置において、緑色波長領域以上の前記緑色レーザ光および前記緑色レーザ光源装置において変換されないまま出力され得る前記赤外レーザ光を前記第２の光学素子に向けて反射させ、それ以外の前記青色レーザ光を前記第２の光学素子に向けて透過し、前記第２の光学素子は、前記青色レーザ光の出力光軸と前記赤色レーザ光の出力光軸との交差位置において、緑色波長領域以下の前記緑色レーザ光および前記青色レーザ光を前記投射光学系側に反射させ、それ以外の前記赤色レーザ光および前記赤外レーザ光については前記赤色レーザ光を前記投射光学系側に、前記赤外レーザ光を前記投射光学系側ではない方向に透過させる構成とする。
【００１３】
これによると、各レーザ光源装置を簡易な配置としつつ、レーザ光源装置よりも少ない光学素子を用いて各色のレーザ光を投射光学系側に導くことが可能となると共に、第２の光学素子は、緑色レーザ光を投射光学系側に反射し且つ赤外レーザ光を投射光学系側ではない方向に透過するように構成することにより、赤外レーザ光が画像表示装置から外部に投射されることを防止し、さらに、第２の光学素子の破損や脱落が万一生じた場合でも、赤外レーザ光は筐体の後壁部に向かうため、第２の光学素子の破損や脱落によっても画像表示装置から外部に投射されることを防止することができる。
【００１６】
以下、本発明の実施の形態について図面を参照しながら説明する。
【００１７】
＜第１実施形態＞
図１は本発明の第１実施形態に係る画像表示装置１の概略構成図であり、図２は画像表示装置１の斜視図である。この画像表示装置１は、所要の画像をスクリーンＳに拡大して投影表示するものであり、緑色レーザ光（第３色のレーザ光）を出力する緑色レーザ光源装置（第３レーザ光源装置）２と、赤色レーザ光（第１色のレーザ光）を出力する赤色レーザ光源装置（第１レーザ光源装置）３と、青色レーザ光（第２色のレーザ光）を出力する青色レーザ光源装置（第２レーザ光源装置）４と、映像信号に応じて各レーザ光源装置２〜４からのレーザ光を空間的に変調して像を形成する液晶反射型の空間光変調器５と、各レーザ光源装置２〜４からのレーザ光を反射させて空間光変調器５に照射させるとともに空間光変調器５から出射された変調レーザ光を透過させる偏光ビームスプリッタ６と、各レーザ光源装置２〜４から出射されるレーザ光を偏光ビームスプリッタ６に導くリレー光学系７と、偏光ビームスプリッタ６を透過した変調レーザ光を外部のスクリーンＳに投射する投射レンズを含む投射光学系８とを備えている。図示は省略するが、画像表示装置１は、上記レーザ光源装置２〜４や空間光変調器５等の動作を制御する制御ユニットを備えている。
【００１８】
画像表示装置１は、いわゆるフィールドシーケンシャル方式（時分割表示方式）でカラー画像を表示するものであり、各レーザ光源装置２〜４から各色のレーザ光が時分割で順次出力され、各色のレーザ光による画像が残像によってカラー画像として認識される。
【００１９】
リレー光学系７は、各レーザ光源装置２〜４から出射される各色のレーザ光を平行ビームに変換するコリメータレンズ１１〜１３と、コリメータレンズ１１〜１３を通過した各色のレーザ光を所要の方向に導く第１および第２のダイクロイックミラー１４、１５と、ダイクロイックミラー１４、１５により導かれたレーザ光を拡散させる拡散板１６と、拡散板１６を通過したレーザ光を収束レーザに変換するフィールドレンズ１７とを備えている。
【００２０】
青色レーザ光、赤色レーザ光、および緑色レーザ光は、２つのダイクロイックミラー１４、１５で同一の光路に導かれる。すなわち、青色レーザ光と緑色レーザ光が第１のダイクロイックミラー１４で同一の光路に導かれ、青色レーザ光および緑色レーザ光と赤色レーザ光が第２のダイクロイックミラー１５で同一の光路に導かれる。
【００２１】
詳細は後述するが、第１および第２のダイクロイックミラー１４、１５は、表面に所定の波長のレーザ光を透過および反射させるための膜が形成されたものであり、第１のダイクロイックミラー（第１の光学素子）１４は、青色レーザ光を透過するとともに緑色レーザ光を反射させる。第２のダイクロイックミラー（第２の光学素子）１５は、赤色レーザ光を透過するとともに青色レーザ光および緑色レーザ光を反射させる。
【００２２】
これらの各光学部材は、銅やアルミ等の熱伝導性の高い材料で形成した筐体２１に支持されている。筐体２１は、各レーザ光源装置２〜４で発生した熱を放熱する放熱体として機能し、アルミニウムや銅などの熱伝導性の高い材料で形成されている。また、筐体２１には、空間光変調器５、偏光ビームスプリッタ６、リレー光学系７、及び投射光学系８等が取り付けられている。筐体２１の上部開口は、投射光学系８以外から外部にレーザ光が漏れることを防ぐために、金属製の蓋１９によって密閉される。
【００２３】
緑色レーザ光源装置２は、筐体２１の本体部２１ａから側方に向けて突出した状態で筐体２１に形成された取付板２２に取り付けられている。この取付板２２は、リレー光学系７の収容スペースの前方と側方にそれぞれ位置する前壁部２３と側壁部２４とが直交する角部から当該前壁部２３を延長するように側壁部２４に直交する向きに突出する。このような構成により、取付板２２はヒートシンクとしての機能を有し、緑色レーザ光源装置２の放熱が促進されると共に、その熱が筐体２１に伝わりにくくなり、他のレーザ光源装置への熱的な影響を抑制することができる。なお、取付板２２は、本体部２１ａと別部材として設けてもよいが、本実施形態のように本体部２１ａと一体に設けることで放熱の効果がより高まる。赤色レーザ光源装置３は、ホルダ２５に保持された状態で側壁部２４の外面２４ａに取り付けられている。青色レーザ光源装置４は、ホルダ２６に保持された状態で前壁部２３の外面２３ａに取り付けられている。ここで、外面２４ａを含む仮想平面と外面２３ａを含む仮想平面とは互いに直交する関係にある。なお、緑色レーザ光源装置２については、赤色レーザ光源装置３と同様に側壁部２４の外面２４ａに取り付ける構成も可能である。
【００２４】
赤色レーザ光源装置３および青色レーザ光源装置４は、いわゆるＣＡＮパッケージで構成され、レーザ光を出力するレーザチップが、ステムに支持された状態で缶状の外装部の中心軸上に光軸が位置するように配置されたものであり、外装部の開口に設けられたガラス窓からレーザ光が出射される。この赤色レーザ光源装置３および青色レーザ光源装置４は、ホルダ２５、２６に開設された取付孔２７、２８に圧入するなどしてホルダ２５、２６に対して固定される。青色レーザ光源装置４および赤色レーザ光源装置３のレーザチップの発熱は、ホルダ２５、２６を介して筐体２１に伝達されて放熱される。各ホルダ２５、２６は、アルミニウムや銅などの熱伝導率の高い材料で形成されている。
【００２５】
赤色レーザ光は、６４０ｎｍの波長を有するが、少なくとも赤色と認識できるものであればよく、例えばピーク波長が６１０〜７５０ｎｍの範囲となる波長領域のものを用いるとよい。また、青色レーザ光は、４５０ｎｍの波長を有するが、少なくとも青色と認識できるものであればよく、例えばピーク波長が４３５〜４８０ｎｍの範囲となる波長領域のものを用いるとよい。
【００２６】
緑色レーザ光源装置２は、図１に示すように、励起用レーザ光を出力する半導体レーザ３１と、半導体レーザ３１から出力された励起用レーザ光を集光する集光レンズであるＦＡＣ（Fast-Axis Collimator）レンズ３２およびロッドレンズ３３と、励起用レーザ光により励起されて基本レーザ光（赤外レーザ光）を出力するレーザ媒体３４と、基本レーザ光の波長を変換して半波長レーザ光（緑色レーザ光）を出力する波長変換素子３５と、レーザ媒体３４とともに共振器を構成する凹面ミラー３６と、励起用レーザ光および基本波長レーザ光の漏洩を阻止するガラスカバー３７と、各部を支持する基台３８と、各部を覆うカバー体３９とを備えている。
【００２７】
図１において、緑色レーザ光源装置２と筐体２１の側壁部２４との間には所要の幅（例えば０．５ｍｍ以下）の間隙Ｇ１が形成される。これにより、緑色レーザ光源装置２の熱が赤色レーザ光源装置３に伝わりにくくなり、赤色レーザ光源装置３の昇温が抑制されて、温度特性の悪い赤色レーザ光源装置３を安定的に動作させることができる。また、間隙Ｇ１を０．５ｍｍ以下とすれば、緑色レーザ光の拡散による利用効率の低下を防止できる。また、赤色レーザ光源装置３の所要の光軸調整代（例えば０．３ｍｍ程度）を確保するため、緑色レーザ光源装置２と赤色レーザ光源装置３との間に所要の幅（例えば０．３ｍｍ以上）の間隙Ｇ２が設けられている。
【００２８】
図３は、緑色レーザ光源装置２における緑色レーザ光の状況を示す模式図である。半導体レーザ３１のレーザチップ４１は、波長８０８ｎｍの励起用レーザ光を出力する。ＦＡＣレンズ３２は、レーザ光のファースト軸（光軸方向に対して直交し且つ図の紙面に沿う方向）の拡がりを低減する。ロッドレンズ３３は、レーザ光のスロー軸（図の紙面に対して直交する方向）の拡がりを低減する。
【００２９】
レーザ媒体３４は、いわゆる固体レーザ結晶であり、ロッドレンズ３３を通過した波長８０８ｎｍの励起用レーザ光により励起されて波長１０６４ｎｍの基本波長レーザ光（赤外レーザ光）を出力する。このレーザ媒体３４は、Ｙ（イットリウム）ＶＯ４（バナデート）からなる無機光学活性物質（結晶）にＮｄ（ネオジウム）をドーピングしたものであり、より具体的には、母材であるＹＶＯ４のＹを、蛍光を発する元素であるＮｄ＋３に置換してドーピングしたものである。
【００３０】
レーザ媒体３４におけるロッドレンズ３３に対向する側には、波長８０８ｎｍの励起用レーザ光に対する反射防止と、波長１０６４ｎｍの基本波長レーザ光および波長５３２ｎｍの半波長レーザ光に対する高反射の機能を有する膜４２が形成されている。レーザ媒体３４における波長変換素子３５に対向する側には、波長１０６４ｎｍの基本波長レーザ光および波長５３２ｎｍの半波長レーザ光に対する反射防止の機能を有する膜４３が形成されている。
【００３１】
波長変換素子３５は、いわゆるＳＨＧ（Second Harmonics Generation）素子であり、レーザ媒体３４から出力される波長１０６４ｎｍの基本波長レーザ光（赤外レーザ光）の波長を変換して波長５３２ｎｍの半波長レーザ光（緑色レーザ光）を生成する。この波長変換素子３５は、強誘電体結晶に、分極が反転した領域とそのままの領域とを交互に形成した、周期的な分極反転構造を備えたものであり、分極反転周期方向（分極反転領域の配列方向）に基本波長レーザ光を入射させる。なお、強誘電体結晶には、例えばＬＮ（ニオブ酸リチウム）にＭｇＯを添加したものが用いられる。
【００３２】
波長変換素子３５におけるレーザ媒体３４に対向する側には、波長１０６４ｎｍの基本波長レーザ光に対する反射防止と、波長５３２ｎｍの半波長レーザ光に対する高反射の機能を有する膜４４が形成されている。波長変換素子３５における凹面ミラー３６に対向する側には、波長１０６４ｎｍの基本波長レーザ光および波長５３２ｎｍの半波長レーザ光に対する反射防止の機能を有する膜４５が形成されている。
【００３３】
凹面ミラー３６は、波長変換素子３５に対向する側に凹面を有し、この凹面には、波長１０６４ｎｍの基本波長レーザ光に対する高反射と、波長５３２ｎｍの半波長レーザ光に対する反射防止の機能を有する膜４６が形成されている。これにより、レーザ媒体３４の膜４２と凹面ミラー３６の膜４６との間で、波長１０６４ｎｍの基本波長レーザ光が共振して増幅される。
【００３４】
波長変換素子３５では、レーザ媒体３４から入射した波長１０６４ｎｍの基本波長レーザ光の一部が波長５３２ｎｍの半波長レーザ光に変換され、変換されずに波長変換素子３５を通過した波長１０６４ｎｍの基本波長レーザ光は、凹面ミラー３６で反射されて波長変換素子３５に再度入射し、波長５３２ｎｍの半波長レーザ光に変換される。この波長５３２ｎｍの半波長レーザ光は、波長変換素子３５の膜４４で反射されて波長変換素子３５から出射される。
【００３５】
ここで、レーザ媒体３４から波長変換素子３５に入射して波長変換素子３５で波長変化されて波長変換素子３５から出射されるレーザ光のビームＢ１と、凹面ミラー３６で一旦反射されて波長変換素子３５に入射して膜４４で反射されて波長変換素子３５から出射されるレーザ光のビームＢ２とが干渉を起すと、出力が低下する。そこで、波長変換素子３５を光軸方向に対して傾斜させて、屈折作用によりレーザ光のビームＢ１、Ｂ２が互いに干渉しないようにしており、これにより出力低下を避けることができる。
【００３６】
なお、図１に示したガラスカバー３７には、波長８０８ｎｍの励起用レーザ光および波長１０６４ｎｍの基本波長レーザ光が外部に漏洩することを防止するため、これらのレーザ光を透過させない膜が形成されている。
【００３７】
前記の例では、緑色レーザ光源装置２のレーザチップ４１、レーザ媒体３４、および波長変換素子３５がそれぞれ、波長８０８ｎｍの励起用レーザ光、波長１０６４ｎｍの基本波長レーザ光（赤外レーザ光）、および波長５３２ｎｍの半波長レーザ光（緑色レーザ光）を出力するものとしたが、本発明はこれに限定されるものではない。最終的に緑色レーザ光源装置２から出力されるレーザ光が緑色と認識できるものであればよく、例えばピーク波長が５００ｎｍ〜５６０ｎｍの範囲となる波長領域のレーザ光を出力するようにするとよい。また、緑色レーザ光源装置２については、上述のように赤外レーザ光の波長を変換するものではなく、赤色レーザ光源装置３および青色レーザ光源装置４と同様に、緑色レーザ光を出力する半導体レーザチップを用いてもよい。
【００３８】
図４は、画像表示装置１における各色のレーザ光の進路を示す模式図であり、図５および図６は、それぞれ第１および第２のダイクロイックミラー１４、１５の分光特性を示すグラフである。なお、図４では、説明の便宜上、各色のレーザ光の光路が互いに重ならないように表示してあるが、実用上はダイクロイックミラー１４、１５において合流した後の各色のレーザ光の光路は一致する。
【００３９】
図４に示すように、投射光学系８の投射口８ａからスクリーンＳに向けてレーザ光が出射される側を前側とすると、青色レーザ光源装置４から青色レーザ光ＬＢが後方の筐体２１内に向けて出射される。図１に示したように、３色のレーザ光源装置２〜４は、投射光学系８側（光路の下流側）からみて、出力するレーザ光の波長が大きい順（赤色、緑色、青色）に配置されている。そして、青色レーザ光源装置４から後方に延びる青色レーザ光の出力光軸ＰＢは、互いに平行な緑色レーザ光の出力光軸ＰＧおよび赤色レーザ光の出力光軸ＰＲに対して順次直交する。
【００４０】
再び図４に示すように、緑色レーザ光源装置２から筐体２１内に出射された緑色レーザ光ＬＧと青色レーザ光ＬＢとの交差位置（すなわち、図１においては出力光軸ＰＧと出力光軸ＰＢとの交差位置）には第１のダイクロイックミラー１４が配置されている。第１のダイクロイックミラー１４は、平面視において、図１に示す緑色レーザ光の出力光軸ＰＧ方向（すなわち、左右方向）に対して４５°の傾きをもって設置されており、図４においては第２のダイクロイックミラー１５に向けて、青色レーザ光ＬＢを透過させると共に緑色レーザ光ＬＧを垂直に反射させる。
【００４１】
第１のダイクロイックミラー１４は、光学ガラス等の基材の表面（ここでは、緑色レーザ光ＬＧの入射側）に高反射のコーティング面をなす多層膜１４ａを有している。多層膜は、高屈折率の薄膜を形成するＴｉＯ２やＺｎＯ２等の誘電体材料と、低屈折率の薄膜を形成するＳｉＯ２等の誘電体材料とが蒸着等によって基材に積層されることによって形成される。図５に示すように、第１のダイクロイックミラー１４は、緑色レーザ光の波長を含む緑色波長領域以上の波長の光のみを反射する分光特性を有している。ここでは、緑色波長領域を５００〜５６０ｎｍとするが、必ずしもこの範囲に限定されるものではない。このような第１のダイクロイックミラー１４の分光特性（反射波長領域）は、薄膜を形成する誘電体材料や薄膜の厚さを調整することによって適切に設定することができる。
【００４２】
また、図４に示すように、赤色レーザ光源装置３から筐体２１内に出射された赤色レーザ光ＬＲと、第１のダイクロイックミラー１４を透過した青色レーザ光ＬＢおよび第１のダイクロイックミラー１４にて反射した緑色レーザ光ＬＧとの交差位置（すなわち、出力光軸ＰＲと出力光軸ＰＢとの交差位置）には第２のダイクロイックミラー１５が配置されている。第２のダイクロイックミラー１５は、赤色レーザ光の出力光軸ＰＲ方向（すなわち、左右方向）に対して４５°の傾きをもって設置されており、偏光ビームスプリッタ６や空間光変調器５（投射光学系８側）に向けて、赤色レーザ光ＬＲを透過させると共に青色レーザ光ＬＢおよび緑色レーザ光ＬＧを垂直に反射させる。
【００４３】
第２のダイクロイックミラー１５は、第１のダイクロイックミラー１４と概ね同様の構成を有しており、青色レーザ光ＬＢおよび緑色レーザ光ＬＧの入射側に多層膜１５ａが形成されている。図６に示すように、第２のダイクロイックミラー１５は、緑色レーザ光の波長を含む緑色波長領域以下の波長の光のみを反射する分光特性を有している。
【００４４】
このような構成を有する画像表示装置１では、各色のレーザ光源装置２〜４よりも１つ少ない２つのダイクロイックミラー１４、１５を用いて、各色のレーザ光を投射光学系８側に導くことが可能である。その結果、画像表示装置１は、小型化や軽量化を図ることができ、特に、情報処理装置（例えば、ノートパソコン等）に内蔵される装置としても好適である。
【００４５】
ここで、画像表示装置１において、上述のように赤外レーザ光を用いて緑色レーザ光を発生させる場合には、緑色レーザ光源装置２から多少の赤外線が出力されることがある。しかしながら、緑色レーザ光源装置２から出力された赤外線ＬＩＲは、可視光線の赤色よりも波長が大きいため、図４に示すように、第１のダイクロイックミラー１４では緑色レーザ光ＬＧと共に反射されるものの、第２のダイクロイックミラー１５では透過して光路から外れるため、偏光ビームスプリッタ６や空間光変調器５（投射光学系８側）に導かれることはない。このように、ダイクロイックミラー１４、１５の少なくとも一方について、緑色レーザ光ＬＧを反射し且つ赤外線ＬＩＲを透過するように構成することにより、赤外線ＬＩＲが画像表示装置１から外部に投射されることが防止される。また、図４に示す構成では、第２のダイクロイックミラー１５の破損や脱落が万一生じた場合でも、赤外線ＬＩＲは上記透過する場合と同様に筐体２１の後壁部に向かうため、画像表示装置１から外部に投射されることはないという利点もある。
【００４６】
なお、第１実施形態では、第２のダイクロイックミラー１５において、前方または左方から入射する各色のレーザ光ＬＲ、ＬＧ、ＬＢを投射光学系８側である右方に導く構成としたが、例えば、各色のレーザ光ＬＲ、ＬＧ、ＬＢを後方に導く構成も可能である。その場合、各色のレーザ光ＬＲ、ＬＧ、ＬＢの光路に応じて、空間光変調器５、偏光ビームスプリッタ６、投射光学系８（投射口８ａ）等の配置を適切に変更する必要がある。また、第２のダイクロイックミラー１５は、赤色レーザ光の波長を含む赤色波長領域以上の波長の光のみを反射する分光特性を有することが必要となる。ダイクロイックミラー１４、１５に入射する各色のレーザ光の光路等については、上記構成に限らず本発明の範囲内において適宜変更が可能である。
【００４７】
＜第２実施形態＞
図７は、本発明の第２実施形態に係る画像表示装置１における各色のレーザ光の進路を示す模式図である。図７では、第１実施形態と同様の構成要素については同一の符号を付してある。また、第２実施形態では、以下で特に言及する事項を除いて上述の第１実施形態の場合と同様とし、詳細な説明を省略する。
【００４８】
図７に示すように、第２実施形態に係る画像表示装置１では、赤色レーザ光（第２色のレーザ光）を出力する赤色レーザ光源装置（第２レーザ光源装置）３と青色レーザ光（第１色のレーザ光）を出力する青色レーザ光源装置（第１レーザ光源装置）４との配置が第１実施形態の場合とは互いに逆になっている。つまり、３色のレーザ光源装置２〜４は、投射光学系８側（光路の下流側）からみて、出力するレーザ光の波長が小さい順（青色、赤色、緑色）に配置されている。また、第１のダイクロイックミラー１４は、図６に示した第１実施形態の第２のダイクロイックミラー１５と同様の分光特性を有しており、緑色レーザ光の波長を含む緑色波長領域以下の波長の光のみを反射する。また、第２のダイクロイックミラー１５は、図５に示した第１実施形態の第１のダイクロイックミラー１４と同様の分光特性を有しており、緑色レーザ光の波長を含む緑色波長領域以上の波長の光のみを反射する。このような構成により、赤色レーザ光源装置３と青色レーザ光源装置４との配置を逆にした場合でも、第１実施形態の場合と同様に、２つのダイクロイックミラー１４、１５を用いて、各色のレーザ光を投射光学系８側に導くことが可能である。
【００４９】
さらに、赤外レーザ光を用いて緑色レーザ光を発生させる場合、緑色レーザ光源装置２から出力された赤外線ＬＩＲは、図７に示すように、第１のダイクロイックミラー１４にて透過して光路から外れるため第２のダイクロイックミラー１５（投射光学系８側）に導かれることはない。これにより、赤外線ＬＩＲが画像表示装置１から外部に投射されることが防止される。また、図７に示す構成において、第１のダイクロイックミラー１４の破損や脱落が万一生じた場合でも、赤外線ＬＩＲは上記透過する場合と同様に筐体２１の側壁部に向かうため、画像表示装置１から外部に投射されることはないという利点もある。
【００５０】
本発明を特定の実施形態に基づいて説明したが、これらの実施形態はあくまでも例示であって、本発明はこれらの実施形態によって限定されるものではない。なお、上記実施形態に示した本発明に係る画像表示装置の各構成要素は、必ずしも全てが必須ではなく、少なくとも本発明の範囲を逸脱しない限りにおいて適宜取捨選択することが可能である。
【産業上の利用可能性】
【００５１】
本発明に係る画像表示装置は、簡易な構成により、緑色レーザ光源装置から出力され得る赤外線が外部に投射されることを防止可能とし、半導体レーザを光源とするレーザ光源装置を備えた画像表示装置として有用である。
【符号の説明】
【００５２】
１  画像表示装置
２  緑色レーザ光源装置
３  赤色レーザ光源装置（第１または第２レーザ光源装置）
４  青色レーザ光源装置（第１または第２レーザ光源装置）
５  空間光変調器
８  投射光学系
１４  第１のダイクロイックミラー（第１の光学素子）
１５  第２のダイクロイックミラー（第２の光学素子）
２１  筐体
ＬＢ  青色レーザ光
ＬＧ  緑色レーザ光
ＬＩＲ  赤外線
ＬＲ  赤色レーザ光
ＰＢ  青色レーザ光の出力光軸
ＰＧ  緑色レーザ光の出力光軸
ＰＲ  赤色レーザ光の出力光軸
【要約】
【課題】画像表示装置において、簡易な構成により、緑色レーザ光源装置から出力され得る赤外線が外部に投射されることを防止可能とする。
【解決手段】画像表示装置１は、緑色、赤色及び青色を出力するレーザ光源装置２〜４と、各色のレーザ光を外部に投射する投射光学系８と、各色のレーザ光を投射光学系側に導くダイクロイックミラー１４、１５とを備え、青色のレーザ光の出力光軸ＰＢは、緑色および赤色レーザ光の出力光軸ＰＧ、ＰＲに対して順次交差し、ダイクロイックミラー１４は、青色および緑色レーザ光をそれぞれ透過および反射させ、ダイクロイックミラー１５は、ダイクロイックミラー１４にてそれぞれ透過および反射した青色および緑色レーザ光と赤色のレーザ光との一方を反射させ且つ他方を透過させ、ダイクロイックミラー１４、１５の一方は、緑色レーザ光の波長以下の波長のみを反射させる構成とする。
【選択図】図４【図１】
0004822301.tif 000002
【図２】
0004822301.tif 000003
【図３】
0004822301.tif 000004
【図４】
0004822301.tif 000005
【図５】
0004822301.tif 000006
【図６】
0004822301.tif 000007
【図７】
0004822301.tif 000008